(57)【要約】      （修正有）【課題】製造コストの削減が容易に図れ、確実に美容効果が得られる美容機器を提供する。【解決手段】美容機器は、耳たぶ８の付け根の前後に配置され、耳たぶ付け根に接触させる一対の接触体５と、接触体を保持する保持体１０と、を備える。保持体は、耳殻に装着される紐状体１１からなる環状部と、環状部の大きさを調整する調整部材１５を備えて、環状部は、弾性力を有して耳殻に装着される。【選択図】図１
0003215681.tif 000002
【実用新案登録請求の範囲】
【請求項１】
耳たぶの前後に配置され、前記耳たぶの付け根に接触させる一対の接触体と、この接触体を保持する保持体と、を備えていることを特徴とする美容機器。
【請求項２】
前記保持体は、耳殻に装着される環状部を有することを特徴とする請求項１に記載の美容機器。
【請求項３】
前記保持体は、前記環状部の大きさを調整する調整部材を備えていることを特徴とする請求項２に記載の美容機器。
【請求項４】
前記環状部は、弾性力を有して耳殻に装着されることを特徴とする請求項２、又は３に記載の美容機器。
【請求項５】
前記環状部は紐状の部材を有し、前記接触体は前記紐状の部材に移動自在に取り付けられていることを特徴とする請求項２乃至４のいずれか一項に記載の美容機器。
【請求項６】
前記紐状の部材は、弾性力を有していることを特徴とする請求項５に記載の美容機器。
【請求項７】
前記保持体は、利用者の頭部に装着される装着部と、この装着部に取り付けられ耳殻の周りに配置される環状部と、を備え、環状部には前記接触体が設けられていることを特徴とする請求項１に記載の美容機器。
【考案の詳細な説明】
【技術分野】
【０００１】
本考案は耳殻に装着される美容機器に関する。
【背景技術】
【０００２】
人体の各所を刺激することにより、血流改善による美容効果が得られることが知られており、様々な美容機器が流通している。
【０００３】
ところで、耳殻は、両手両足までつながる筋肉のスタート地点であるため、耳殻を刺激することで筋肉がゆるむ（ほぐされる）ことが知られている。また、顔のまわりには複数のリンパ節が存在し、耳殻を刺激することで血流の促進を図ることができ、耳殻に取り付けられる美容機器も従来から知られている（特許文献１参照）。
【０００４】
特許文献１に示す美容機器は、耳殻周囲に装着されるフック部と、このフック部に設けられる磁気刺激部と、を備え、磁気刺激部によって耳殻周囲の経穴（ツボ）が刺激されることにより、血流の促進を図るものである。
【先行技術文献】
【特許文献】
【０００５】
【特許文献１】特開２０１７−０００１７６号公報
【考案の概要】
【考案が解決しようとする課題】
【０００６】
しかしながら、特許文献１の美容機器は、フック部に磁気を装着する必要があるとともに、耳殻に装着するため非常に軽量に製造する必要があり製品コストが高騰する要因となっている。また、磁気の位置が固定されているため個体差によって磁気の位置が経穴からずれてしまうことも多く、血流促進等の効果をあまり得ることができず本来の美容効果が得られないことがある。
【０００７】
本考案はこのような状況においてなされたものであり、製造コストの削減を容易に図れ、確実に美容効果を得られる美容機器を提供することにある。
【課題を解決するための手段】
【０００８】
上記課題を解決するために、請求項１に記載の美容機器（１）は、耳たぶ（８）の前後に配置され、耳たぶの付け根に接触させる一対の接触体（５）と、この接触体を保持する保持体（１０）と、を備えていることを特徴とする。
【０００９】
また、請求項２に記載の美容機器は、請求項１に記載の美容機器において、前記保持体は、耳殻（３）に装着される環状部（１２）を有することを特徴とする。
【００１０】
また、請求項３に記載の美容機器は、請求項２に記載の美容機器において、前記保持体は、前記環状部の大きさを調整する調整部材（１５）を備えていることを特徴とする。
【００１１】
また、請求項４に記載の美容機器は、請求項２又は請求項３に記載の美容機器において、前記環状部は、弾性力を有して耳殻に装着されることを特徴とする。
【００１２】
また、請求項５に記載の美容機器は、請求項２乃至４のいずれか一項に記載の美容機器において、前記環状部は紐状の部材（１１）を有し、前記接触体は前記紐状の部材に移動自在に取り付けられていることを特徴とする。
【００１３】
また、請求項６に記載の美容機器は、請求項５に記載の美容機器において、前記紐状の部材は、弾性力を有していることを特徴とする。
【００１４】
また、請求項７に記載の美容機器は、請求項１に記載の美容機器において、前記保持体は、利用者の頭部に装着される装着部と、この装着部に取り付けられ耳殻の周りに配置される環状部と、を備え、環状部には前記接触体が設けられていることを特徴とする。
【考案の効果】
【００１５】
本考案の美容機器によれば、耳たぶの付け根に確実に刺激を加えることができ、効果的に美容効果を得ることができる。簡易な構造であるため、製造コストの低減化を容易に図れる。
【図面の簡単な説明】
【００１６】
【図１】第１実施例における美容機器の装着例を示す模式図である。
【図２】美容機器の他の装着例を示す模式図である。
【図３】美容機器の構成例を示す模式図である。
【図４】美容機器における紐状体の調整例を示す模式図である。
【図５】調整部材の断面を示し、図５（ａ）は紐状体を固定した状態図、図５（ｂ）は紐状体を解放した状態図である。
【図６】第２実施例における美容機器の装着例を示す模式図である。
【図７】第２実施例における美容機器の構成例を示す模式図である。
【図８】第３実施例における美容機器の構成例を示す模式図である。
【考案を実施するための形態】
【００１７】
以下、本考案に係る美容機器の実施形態について、図１乃至図４を用いて詳細に説明する。
【００１８】
（美容機器の概要）
本実施形態の美容機器１は、図１及び図２に示すように、特に、耳たぶ８のつけ根に微弱な圧や振動などの微弱な刺激を与えることで咀嚼筋を刺激してゆるめることにより口腔系の筋緊張を取り除き、組織液の循環を促進させて美容面と健康面の向上を図るものである。
【００１９】
具体的には、美容機器１は、耳たぶ８の付け根が軽く挟持されるように接触体５を耳たぶ８の付け根の前後に配置することで、利用者の動きによって接触体５が微振動し耳たぶ８のつけ根に微弱な刺激が与えられ、筋肉（特に咀嚼筋）の筋緊張をゆるめ、組織液の循環を促進させる。
【００２０】
（第１実施例）
（美容機器の構成等）
図１乃至図３に示すように、美容機器１は、耳たぶ８の付け根の前後に配置され、耳たぶ８の付け根に接触させる一対の接触体５と、この接触体５を耳たぶの付け根に接触させた状態で保持する保持体１０と、を備えている。
【００２１】
保持体１０は、耳殻３に装着される環状部１２を有する紐状の部材（以下、「紐状体１１」と称する。）と、環状部１２の大きさを調整する調整部材１５と、を備える。
【００２２】
紐状体１１は、例えば、一端と他端を有する屈曲自在な直線状の部材の端部を結合したものであって、紐状体１１の中間に調整部材１５を配置することによって耳殻３（耳輪４）に装着される環状部１２が形成される。
【００２３】
紐状体１１は、環状部１２を使用者の耳殻３に引っ掛けるようにして着脱可能に装着される。また、紐状体１１は、一例として芯材がゴム系材料によって形成された弾性部材が用いられ、例えば、軸線方向に伸縮自在であり、利用者に装着した際にその伸縮力により個々に合わせてフィット感の向上が図れる。
【００２４】
また、利用者の動作によって、紐状体１１は、伸縮し、耳輪４及び耳殻３の外部周辺に接触しつつ振動することで、耳殻３及び耳殻３の外部周辺に刺激を加え、耳殻３の周辺に有するツボ等が刺激される。
【００２５】
なお、紐状体１１は、必ずしも弾性力を有する必要はなく、麻や綿、又はポリエチレン等によって形成された部材やチェーン状の部材であっても構わない。
【００２６】
調整部材１５は、図５に示すように、例えば、一端と他端側の紐状体の一部１１ａ、１１ｂを挿通可能な貫通孔１６と、この貫通孔１６の軸線に対して直交し側部に開口１７ａを有する孔部１７と、を有する本体１８と、この孔部１７に抜け止めされつつ嵌入可能な嵌入体１９と、を備えている。
【００２７】
そして、図５（ａ）、（ｂ）に示すように、貫通孔１６内に挿入される紐状体１１の一部１１ａ、１１ｂを嵌入体１９により解放又は圧着等により固定することで、環状部１２の大きさを調整可能である。
【００２８】
具体的には、図５（ｂ）に示すように、嵌入体１９が外部に引き出されている場合、貫通孔１６に挿入されている紐状体１１の一部１１ａ、１１ｂは解放されており貫通孔１６を自由に移動することが可能である。一方で、図５（ａ）に示すように、嵌入体１９が孔部１７に嵌入されると、本体１８の貫通孔１６の内壁面との間で紐状体１１の一部１１ａ、１１ｂを挟持して紐状体１１が固定される。したがって、嵌入体１９が外部に引き出されている状態で紐状体１１を下方に引っ張り環状部１２を縮小又は上方に引き戻すことで環状部１２を拡大（図４参照）した上で嵌入体１９を孔部１７に嵌入することで環状部１２の大きさを調整することができる。
【００２９】
したがって、利用者の耳殻３等の形状や大きさに合わせて環状部１２の大きさを自在に調節でき、その大きさを固定できるため、個々の利用者に合わせてフィット感の向上が図れる。
【００３０】
そして、紐状体１１は、使用者の耳殻３の大きさに応じて環状部１２の大きさが調整されて利用者に装着される。
【００３１】
また、調整部材１５は、保持体１０を利用者に装着した状態において、耳殻３の下側に配置されるように紐状体１１の下方に配置することで、後述する接触体５を位置決めするとともに、装着時に接触体５が下方へ移動することを抑制することが可能である。
【００３２】
一方、接触体５は、図１乃至図３に示すように、耳たぶ８の付け根の裏側に配置される第１接触体６と、耳たぶ８の付け根の表側に配置される第２接触体７と、を備え、この一対の接触体５によって耳たぶ８の付け根が挟持され、利用者の動きにより接触体５が微振動することによって耳たぶ８の付け根に微弱刺激を与える。
【００３３】
第１接触体６は、貫通孔２１を有する球体２０を備え、貫通孔２１に紐状体１１が挿入されて紐状体１１に取り付けられ、紐状体１１の軸線方向に沿って自由に移動可能であって、耳殻３への装着時には自重により下方に移動し調整部材１５によって移動が抑制される。
【００３４】
第２接触体７は、裏側に紐状体１１を通す孔を有する突起部（図示なし）を有する略円形のボタン形状又は球体の部材を備え、この孔に紐状体１１が挿入されて紐状体１１に取り付けられ、第１接触体６と同様に紐状体１１の軸線方向に沿って自由に移動可能であって、耳殻３への装着時には自重により下方に移動し調整部材１５によって移動が抑制される。
【００３５】
なお、接触体５は紐状体１１の所定位置に固定しても構わないが、個体差によって接触体５の配置位置が異なるため、調整のために紐状体１１に沿って自由に移動し、位置が決定したら容易に固定できることが好ましい。また、本実施形態では、調整部材１５によって接触体５が位置決めされるが、調整部材１５を用いない場合には、公知の技術を用いて紐状体１１に対して接触体５を自由に固定又は移動できるようにすればよい。
【００３６】
また、第１接触体６と第２接触体７の形状は、特に限定されるものではない。例えば、木や樹脂、ガラス等で球体に形成された部材で構成され、耳たぶ８の付け根の一部に接触させることができるものであればよく多角形状等でも構わない。ただし、耳たぶ８の付け根のごく一部に圧力が集中するような、先鋭した形状はふさわしくない。
【００３７】
また、調整部材１５の下方に延びる紐状体１１には飾り４５を付けることで美容機器１がアクセサリーとして機能する。なお、飾り４５に重量がありすぎると、接触体５の挟持力が増し過ぎ、耳たぶ８の付け根が必要以上に強く挟持されてしまうため、飾り４５は軽量なものがよい。
【００３８】
このように構成された美容機器１は、利用者の行動により、接触体５が微振動することで、耳たぶ８の付け根に微弱振動刺激が与えられる。
【００３９】
そして、この微弱振動により咀嚼筋がゆるまり、口腔内に適切な空間ができ、舌位も上がり、食いしばりによる筋緊張が緩和されるとともに、食いしばり自体の改善も促される。また、舌位が上がることで、鼻呼吸がしやすくなり、風邪予防に効果があるだけでなく、誤嚥も防止できる。
【００４０】
さらに、利用者の両耳から肩と腕の前側を通って両手の母指球までのライン（屈筋ライン）にある体を支える大きな筋肉も耳たぶ８の付け根への微弱振動によってゆるまり、そこから全身の筋肉までもがゆるむことで、肩こりや腰痛等の防止にも効果がある。
【００４１】
また、美容機器１は、調整部材１５により、個体差による耳殻３の形状や大きさに応じて環状部１２の大きさを調整でき、紐状体１１は弾性力（伸縮性）を有するため、フィット感の向上を図ることができる。また調整部材１５は、装着時に接触体５が下方へ移動することを抑制する機能も有しており、使用者が特別な技能等を持たずとも自身で容易に接触体５の位置決めをすることが可能となっている。
【００４２】
（美容機器の装着方法）
次に、美容機器１の装着方法について図１乃至図５を用いて説明する。
【００４３】
まず、耳殻３の形状や大きさに応じて、図３及び図４に示すように、調整部材１５を用いて紐状体１１の環状部１２の大きさを調整する。
【００４４】
具体的には、図５（ｂ）に示すように、嵌入体１９を本体１８の孔部１７から解放し、紐状体１１の一端又は他端側を引張り又は引き戻すことで環状部１２の大きさをある程度広げた上で、図１及び図２に示すように、紐状体１１の環状部１２を耳殻３に装着し、調整部材１５がちょうど耳たぶ８の付け根の下にくるように紐状体１１の一端又は他端を引くことで環状部１２の長さを調節する。そして、図５（ａ）に示すように、嵌入体１９を孔部１７に嵌入して紐状体１１を本体１８との間で挟持し、環状部１２の大きさを固定する。
【００４５】
続いて、第１接触体６が耳たぶ８の付け根の裏側に配置され、第２接触体７が耳たぶ８の付け根の表側に配置されるように各接触体６、７の位置調整を行い、美容機器１の装着処理を終了する。なお本実施形態では、調整部材１５が耳たぶ８の付け根の下部に配置されることにより、接触体５は自然と耳たぶ８の付け根の表側と裏側近傍に配置されるように設計されている。
【００４６】
利用者は美容機器１を装着して行動することで、紐状体１１は伸縮をするとともに、第１及び第２接触体６、７が微振動し、耳たぶ８の付け根に微弱振動を与える。これにより筋緊張がゆるまり、組織液の循環が促進され、結果として、美容効果をあげることが可能となっている。
【００４７】
以上に説明したように、本実施形態の美容機器１は、耳たぶ８の付け根の前後に配置され、耳たぶ８の付け根に接触させる一対の接触体５と、この接触体５を保持する保持体１０と、を備えて構成され、前記保持体１０は、耳殻３に装着される環状部１２を備えている。
【００４８】
このように構成された美容機器１は、利用者の行動により、接触体５が微振動することで耳たぶ８の付け根に微弱振動を与える。これにより筋緊張がゆるまり、組織液の循環が促進され、結果として、美容効果をあげることが可能となっている。
【００４９】
また、保持体１０には、環状部１２の大きさを調整する調整部材１５が取り付けられており、環状部１２の大きさを調節可能となっており、利用者による耳殻３等の大きさ・形状の個体差に合わせて高いフィット感を実現できる。
【００５０】
（第２実施例）
以下、第２実施例の美容機器５０について図６及び図７を用いて説明する。
【００５１】
第１実施例の美容機器１が、環状部１２を耳殻３に装着することで接触体５を耳たぶ８の付け根に配置するのに対して、本実施例の美容機器５０は、装着部５１を利用者の頭部に装着することで接触体５を耳たぶ８の付け根に配置する点で異なる。なお、実施例２の美容機器５０において、実施例１の美容機器１と同一の部材には同一の符号を付することとし、その説明は省略する。
【００５２】
本実施例の美容機器５０は、図６に示すように、耳たぶ８の付け根の前後に配置され、耳たぶ８の付け根に接触させる一対の接触体５と、この接触体５を耳たぶの付け根に接触させた状態で保持する保持体１０と、を備えている。また、前記保持体１０は、利用者の頭部に装着される装着部５１と、この装着部５１に一体的に設けられ耳殻３の回りに配置される環状部１２と、を備え、この環状部１２には、前記接触体５が設けられている。
【００５３】
装着部５１は、略同一幅で帯状に形成された紐状の本体部５２を備え、この本体部５２は利用者の頭部に装着される。
【００５４】
環状部１２は、本体部５２の端部が折り返されて調整部材１５によって固定されて形成され、装着部５１と一体的に形成される。また、環状部１２は、本体部５２を利用者の頭部に装着した際に、利用者の耳殻３の回りに配置される。
【００５５】
そして、美容機器５０は、本体部５２を利用者の頭部に装着し、環状部１２を利用者の耳殻３の回りに配置した上で調整部材１５によって環状部１２の大きさを適宜調整し、第１接触体６が耳たぶ８の付け根の裏側に配置され、第２接触体７が耳たぶ８の付け根の表側に配置されるように各接触体６、７の位置調整を行うことで、利用者に装着される。
【００５６】
このように構成された本実施例の美容機器５０は、頭部に装着される本体部５２を備えていることで、利用者の耳殻３が小さいこと等に起因して環状部１２を利用者の耳殻３に引っかけにくい場合にも、美容機器５０を利用者に容易に装着することができる。
【００５７】
（第３実施例）
以下、第３実施例の美容機器５５について図８を用いて説明する。
【００５８】
第２実施例の美容機器１は、帯状の紐を用いて形成したのに対して、本実施例の美容機器５５は、本体部５２を弾性力を有する比較的固い部材で形成するとともに、本体部５２と環状部１２の部材を別部材（別の材質等）で形成した点で異なる。なお、実施例３の美容機器５５において、実施例２の美容機器５０と同一の部材には同一の符号を付することとし、その説明は省略する。
【００５９】
本実施例の美容機器５５は、第２実施例の美容機器５０と同様に、耳たぶ８の付け根の前後に配置され、耳たぶ８の付け根に接触させる一対の接触体５と、この接触体５を耳たぶの付け根に接触させた状態で保持する保持体１０と、を備えている。また、前記保持体１０は、利用者の頭部に装着される装着部５６と、この装着部５６に取り付けられ耳殻３回りに配置される環状部１２と、を備え、この環状部１２には、前記接触体５が設けられている。
【００６０】
装着部５６は、利用者の頭部の幅よりも幅狭に形成された開口部５７ａと、利用者の頭部に装着される本体部５７と、を備えている。
【００６１】
本体部５７は、略同一の幅を有して帯状に形成され、利用者の頭部頭頂部から側部の外周面に沿って配置されるものであって、合成樹脂や金属製により略Ｃ字状に湾曲して形成されている。また、本体部５７は、利用者の頭部の形状に合わせて弾性変形可能であって、利用者の頭部にワンタッチで取り付け可能である。
【００６２】
そして、装着部５６は、開口部５７ａを頭部の幅方向に対向させながら利用者の前後方向に対して垂直に挿入されて、利用者の頭部の左右両側を把持するようにして取り付けられる。
【００６３】
本体部５６の両側端部には、環状部１２が取り付けられ、装着部５６を利用者の頭部に装着した際に、この環状部１２は、利用者の耳殻３回りに配置される。
【００６４】
なお、環状部１２は、例えば、麻や綿といった柔らかい紐状の部材の端部を結合したものであって、実施例１に示すように、紐状体１１の中間に調整部材１５を配置することによって形成される。
【００６５】
そして、美容機器５５は、本体部５７を利用者の頭部に装着し、環状部１２を利用者の耳殻３の回りに配置した上で調整部材１５によって環状部１２の大きさを適宜調整し、第１接触体６が耳たぶ８の付け根の裏側に配置され、第２接触体７が耳たぶ８の付け根の表側に配置されるように各接触体６、７の位置調整を行うことで、利用者に装着される。
【００６６】
以上に説明したように、第２・第３実施例の美容機器５０、５５は、耳たぶ８の付け根の前後に配置され、耳たぶ８の付け根に接触させる一対の接触体５と、この接触体５を保持する保持体１０と、を備えて構成され、前記保持体１０は、利用者の頭部に装着される装着部５１、５６と、この装着部５１、５６に取り付けられ耳殻３の回りに配置される環状部１２と、を備え、環状部１２には、前記接触体５が設けられている。
【００６７】
このように構成された美容機器１は、利用者の行動により、接触体５が微振動することで耳たぶ８の付け根に微弱振動を与える。これにより筋緊張がゆるまり、組織液の循環が促進され、結果として、美容効果をあげることが可能となっている。
【００６８】
また、保持体１０には、環状部１２の大きさを調整する調整部材１５が取り付けられており、環状部１２の大きさを調節可能となっており、利用者による耳殻３等の大きさ・形状の個体差に合わせて高いフィット感を実現できる。
【００６９】
なお、本実施形態は一形態であって、各構成部品は本実施形態に必ずしも限定されるものではない。例えば、本実施形態では、接触体５をボタン形状又は球体としているが、楕円形状や多角形状等であっても構わない。また、紐状体は、一端と他端を有する一方向に延在する部材としたが、初めから一端と他端が接合された環状に形成された部材であっても構わない。また、保持体１０は、耳殻３に装着されるように構成されているが、接触体５が耳たぶ８の付け根の前後からごく軽い圧で把持できればよく、この点も本実施形態に限定されるものではない。さらに、調整部材１５は必ずしも必須の構成ではなく、異なる大きさの環状部１２を用意しても構わない。
【符号の説明】
【００７０】
１  美容機器
３  耳殻
５  接触体
８  耳たぶ
１１  紐状体
１２  環状部
１５  調整部材
【図１】
0003215681.tif 000003
【図２】
0003215681.tif 000004
【図３】
0003215681.tif 000005
【図４】
0003215681.tif 000006
【図５】
0003215681.tif 000007
【図６】
0003215681.tif 000008
【図７】
0003215681.tif 000009
【図８】
0003215681.tif 000010